(57)【要約】ＤＶＤ＋ＲＷディスクに欠陥ブロックが含まれた領域に記録する方法及びその方法によって記録された光ディスクが開示されている。  この光ディスク記録方法は、欠陥のあるＥＣＣブロックを含む領域にデータを記録する時、前記欠陥のあるＥＣＣブロックの前のＥＣＣブロックで記録を終了する段階と、前記欠陥のあるＥＣＣブロックの次のＥＣＣブロックの最後の８チャンネルビットで記録を開始する段階と、を含むことを特徴とする。  前記のような構成によって既存に規定されていない欠陥領域を含む所定領域に記録する方法を新たに提案することによって、光ディスクの記録／再生に統一を図ることができる。
2005521982.tif 000002
【特許請求の範囲】
【請求項１】
記録／再生の可能な光ディスクにオーバーライトする場合、オーバーライティングが開始されるＥＣＣブロックの直前のＥＣＣブロックの端部にある一部領域にデータを重畳記録してリングキングを行う段階を含むことを特徴とする光ディスク記録方法。
【請求項２】
前記リングキングを行う領域は、ＥＣＣブロックの最後の８チャンネルビットであることを特徴とする請求項１に記載の光ディスク記録方法。
【請求項３】
記録／再生の可能な光ディスクの記録方法であって、
欠陥のあるＥＣＣブロックを含む領域にデータを記録する時、前記欠陥のあるＥＣＣブロックの前のＥＣＣブロックで記録を終了する段階を含むことを特徴とする光ディスク記録方法。
【請求項４】
前記欠陥のあるＥＣＣブロックの次のＥＣＣブロックの最後の８チャンネルビットで記録を開始する段階を含むことを特徴とする請求項３に記載の光ディスク記録方法。
【請求項５】
前記欠陥のあるＥＣＣブロックの直後のＥＣＣブロックに記録を開始する段階を含むことを特徴とする請求項３に記載の光ディスク記録方法。
【請求項６】
前記光ディスクにオーバーライトする場合、オーバーライティングが開始されるＥＣＣブロックの直前のＥＣＣブロックの端部にある一部領域にデータを重畳記録してリングキングを行う段階を含むことを特徴とする請求項３ないし５のうち何れか一項に記載の光ディスク記録方法。
【請求項７】
前記リングキングを行う領域は、ＥＣＣブロックの最後の８チャンネルビットであることを特徴とする請求項６に記載の光ディスク記録方法。
【請求項８】
記録／再生の可能な光ディスクの記録方法であって、
欠陥のあるＥＣＣブロックを含む領域にデータを記録する時、前記欠陥のあるＥＣＣブロックの前のＥＣＣブロックの最後の８チャンネルビットの前で記録を終了する段階を含むことを特徴とする光ディスク記録方法。
【請求項９】
前記欠陥のあるＥＣＣブロックの次のＥＣＣブロックの最後の８チャンネルビットで記録を開始する段階を含むことを特徴とする請求項８に記載の光ディスク記録方法。
【請求項１０】
前記欠陥のあるＥＣＣブロックの直後のＥＣＣブロックに記録を開始する段階を含むことを特徴とする請求項８に記載の光ディスク記録方法。
【請求項１１】
前記光ディスクにオーバーライトする場合、オーバーライティングが開始されるＥＣＣブロックの直前のＥＣＣブロックの端部にある一部領域にデータを重畳記録してリングキングを行う段階を含むことを特徴とする請求項８ないし１０のうち何れか一項に記載の光ディスク記録方法。
【請求項１２】
前記リングキングを行う領域は、ＥＣＣブロックの最後の８チャンネルビットであることを特徴とする請求項１１に記載の光ディスク記録方法。
【請求項１３】
記録／再生の可能な光ディスク記録方法であって、
記録しようとする領域の前に欠陥領域が発生した時、前記欠陥領域の次のＥＣＣブロックの端部にある一部領域にリングキングのためのデータを記録する段階を含むことを特徴とする光ディスク記録方法。
【請求項１４】
前記リングキングのためのデータは、ＥＣＣブロックの最後の８チャンネルビットに記録されることを特徴とする請求項１３に記載の光ディスク記録方法。
【請求項１５】
前記記録しようとする領域は記録状態の領域であり、その上にオーバーライティングされることを特徴とする請求項１３または１４に記載の光ディスク記録方法。
【請求項１６】
前記記録しようとする領域は、未記録状態のブランク領域であることを特徴とする請求項１３または１４に記載の光ディスク記録方法。
【請求項１７】
前記欠陥領域の次の次にあるブロックにはダミーデータが記録されることを特徴とする請求項１６に記載の光ディスク記録方法。
【請求項１８】
記録／再生の可能な光ディスクであって、
記録状態のディスクの一部領域にオーバーライトする場合、オーバーライティングが開始されるＥＣＣブロックの直前のＥＣＣブロックの端部にある一部領域にデータを重畳記録してリングキングを行うことを特徴とする光ディスク。
【請求項１９】
前記リングキングを行う領域は、ＥＣＣブロックの最後の８チャンネルビットであることを特徴とする請求項１８に記載の光ディスク。
【請求項２０】
記録／再生の可能な光ディスクであって、
欠陥のあるＥＣＣブロックを含む領域にデータを記録する時、前記欠陥のあるＥＣＣブロックの前のＥＣＣブロックで記録が終了し、前記欠陥のあるＥＣＣブロックの次のＥＣＣブロックの最後の８チャンネルビットで記録が開始されることを特徴とする光ディスク。
【請求項２１】
記録／再生の可能な光ディスクであって、
欠陥のあるＥＣＣブロックを含む領域にデータを記録する時、前記欠陥のあるＥＣＣブロックの前のＥＣＣブロックで記録が終了し、前記欠陥のあるＥＣＣブロックの直後のＥＣＣブロックに記録が開始されることを特徴とする光ディスク。
【請求項２２】
前記光ディスクにオーバーライトする場合、オーバーライティングが開始されるＥＣＣブロックの直前のＥＣＣブロックの端部にある一部領域にデータを重畳記録してリングキングを行うことを特徴とする請求項２０または２１に記載の光ディスク。
【請求項２３】
前記リングキングを行う領域は、ＥＣＣブロックの最後の８チャンネルビットであることを特徴とする請求項２２に記載の光ディスク。
【請求項２４】
記録／再生の可能な光ディスクであって、
欠陥のあるＥＣＣブロックを含む領域にデータを記録する時、前記欠陥のあるＥＣＣブロックの前のＥＣＣブロックの最後の８チャンネルビットの前で記録が終了し、前記欠陥のあるＥＣＣブロックの次のＥＣＣブロックの最後の８チャンネルビットで記録が開始されることを特徴とする光ディスク。
【請求項２５】
記録／再生の可能な光ディスクであって、
欠陥のあるＥＣＣブロックを含む領域にデータを記録する時、前記欠陥のあるＥＣＣブロックの前のＥＣＣブロックの最後の８チャンネルビットの前で記録が終了し、前記欠陥のあるＥＣＣブロックの直後のＥＣＣブロックに記録が開始されることを特徴とする光ディスク。
【請求項２６】
前記光ディスクにオーバーライトする場合、オーバーライティングが開始されるＥＣＣブロックの直前のＥＣＣブロックの端部にある一部領域にデータを重畳記録してリングキングを行うことを特徴とする請求項２４または２５に記載の光ディスク。
【請求項２７】
前記リングキングを行う領域は、ＥＣＣブロックの最後の８チャンネルビットであることを特徴とする請求項２６に記載の光ディスク。
【請求項２８】
記録／再生の可能な光ディスクであって、
記録しようとする領域の前に欠陥領域が発生した時、前記欠陥領域の次のＥＣＣブロックの端部にある一部領域にリングキングのためのデータが記録されたことを特徴とする光ディスク。
【請求項２９】
前記リングキングを行う領域は、ＥＣＣブロックの最後の８チャンネルビットであることを特徴とする請求項２８に記載の光ディスク。
【請求項３０】
前記記録しようとする領域は記録状態の領域であり、その上にオーバーライティングされることを特徴とする請求項２８または２９に記載の光ディスク。
【請求項３１】
前記記録しようとする領域は、未記録状態のブランク領域であることを特徴とする請求項２８または２９に記載の光ディスク。
【請求項３２】
前記欠陥領域の次の次にあるブロックにはダミーデータが記録されることを特徴とする請求項３１に記載の光ディスク。
【発明の詳細な説明】
【技術分野】
【０００１】
本発明は光ディスク及び光ディスクの記録方法に係り、さらに詳細にはＤＶＤ＋ＲＷディスクに欠陥ブロックが含まれた領域の記録の方法及びその方法によって記録された光ディスクに関する。
【背景技術】
【０００２】
一般的に、光ディスクは、非接触式で情報を記録／再生する光ピックアップ装置の情報媒体として広く採用され、情報記録容量によってコンパクトディスク（ＣＤ）、デジタル多機能ディスク（ＤＶＤ）に区分されうる。そして、データの記録、消去及び再生の可能な光ディスクとしては、ＣＤ−Ｒ、ＣＤ−ＲＷ、ＤＶＤ−ＲＷ、ＤＶＤ−ＲＡＭ、ＤＶＤ＋ＲＷなどがある。
【０００３】
ここで、反復記録可能なＤＶＤ＋ＲＷの場合、一定容量の記録できる基本記録単位をＥＣＣブロックといい、複数のＥＣＣブロックに記録する場合を図１Ａに示した。一般的に、連続的にデータを記録する場合、リングキングのために記録が開始されるＮ番目ブロック１０２の前ＥＣＣブロックの最後の８チャンネルビット１００−ａを利用する。また、記録時にディスクの回転数の誤差によって正確にリングキング位置を合せられないため、±５Ｔに対応する領域を余裕領域として置き、この領域で記録を開始している。すなわち、理想的な記録開始点と実際に記録される記録開始点間の余裕領域を±５Ｔほど定めておくことによって、この範囲内で記録が開始されれば、正常的に記録を行う。
【０００４】
このようなリングキング体系が同一に適用されるように記録が終了するＥＣＣブロック１０４の最後の８チャンネルビット１０４−ａは、次の記録のためのリングキングを目的で未記録状態に残しておく。
【０００５】
このようなリングキング体系によって連続的に記録される場合を図１Ｂに示した。（Ｎ−１）番目ブロック１００まで記録されており、（Ｎ−１）番目ブロック１００の最後の８チャンネルビット１００−ａは記録されずに残っている。前記（Ｎ−１）番目ブロック１００に続き、その次のＮ番目ブロック１０２からＭ個のＥＣＣブロックに記録する場合、前記（Ｎ−１）番目ブロック１００の最後の８チャンネルビット１００−ａでリングキングが起こる。そして、記録が終了する（Ｎ＋Ｍ−１）番目ブロック１０４の最後の８チャンネルビット１０４−ａは未記録状態に残る。
【０００６】
図１Ｃは、データの未記録状態のブランク領域にデータを記録しようとする場合を示す図である。記録を開始する（Ｎ−１）ＥＣＣブロック１１２の直前にある（Ｎ−２）ブロック１１０が未記録状態のブランクである場合、ユーザデータの記録が開始される（Ｎ−１）番目ブロック１１２にダミーデータを記録し、その次のＮ番目ブロック１１４からユーザデータを記録する。この時、ダミーデータは、（Ｎ−２）番目ブロック１１０の最後の８チャンネルビット１１０−ａから記録される。そして、記録が終了する（Ｎ＋Ｍ−１）番目ブロック１１６の最後の８チャンネルビット１１６−ａは未記録状態に残る。
【０００７】
前記のように、ＤＶＤ＋ＲＷに対して一般的に連続記録が行われる場合、リングキングがどのように発生するか規定されているが、連続記録が行われるＥＣＣブロック間に欠陥ブロックが発生した場合に、リングキングがどのように適用されるかに対しては明示されていない。また、連続記録される場合とブランク状態で記録される場合とに対して規定されているが、記録状態のディスクに再びオーバーライティングが行われる場合に対しては規定されたところがない。したがって、欠陥ブロックが発生した場合、具体的にリングキングがどのように適用されるかに対する規定とオーバーライティングが行われる場合に対する規定とを作る必要がある。
【発明の開示】
【発明が解決しようとする課題】
【０００８】
本発明は前記問題点を解決するために案出されたものであって、ＤＶＤ＋ＲＷでオーバーライティングが行われる場合の記録方法と、欠陥領域が含まれた所定領域に記録が行われる時の欠陥領域を処理して記録する方法及びその方法によって記録された光ディスクを提供するところにその目的がある。
【課題を解決するための手段】
【０００９】
前記目的を達成するために本発明による光ディスクの記録方法は、記録／再生の可能な光ディスクにオーバーライトする場合、オーバーライティングが開始されるＥＣＣブロックの直前のＥＣＣブロックの端部にある一部領域にデータを重畳記録してリングキングを行う段階を含むことを特徴とする。
【００１０】
前記目的を達成するために本発明による光ディスク記録方法は、記録／再生の可能な光ディスクの記録方法であって、欠陥のあるＥＣＣブロックを含む領域にデータを記録する時、前記欠陥のあるＥＣＣブロックの前のＥＣＣブロックで記録を終了する段階を含むことを特徴とする。
【００１１】
ここで、前記欠陥のあるＥＣＣブロックの次のＥＣＣブロックの最後の８チャンネルビットで記録を開始することが望ましい。
【００１２】
また、前記欠陥のあるＥＣＣブロックの直後のＥＣＣブロックに記録を開始することが望ましい。
【００１３】
前記目的を達成するために本発明による光ディスク記録方法は、記録／再生の可能な光ディスクの記録方法であって、欠陥のあるＥＣＣブロックを含む領域にデータを記録する時、前記欠陥のあるＥＣＣブロックの前のＥＣＣブロックの最後の８チャンネルビットの前で記録を終了する段階を含むことを特徴とする。
【００１４】
前記目的を達成するために本発明による光ディスクは、記録／再生の可能な光ディスクであって、記録状態のディスクの一部領域にオーバーライトする場合、オーバーライティングが開始されるＥＣＣブロックの直前のＥＣＣブロックの端部にある一部領域にデータを重畳記録してリングキングを行うことを特徴とする。
【００１５】
前記目的を達成するために本発明による光ディスクは、欠陥のあるＥＣＣブロックを含む領域にデータを記録する時、前記欠陥のあるＥＣＣブロックの前のＥＣＣブロックで記録が終了し、前記欠陥のあるＥＣＣブロックの次のＥＣＣブロックの最後の８チャンネルビットで記録が開始されることを特徴とする。
【００１６】
前記目的を達成するために本発明による光ディスクは、記録／再生の可能な光ディスクであって、欠陥のあるＥＣＣブロックを含む領域にデータを記録する時、前記欠陥のあるＥＣＣブロックの前のＥＣＣブロックで記録が終了し、前記欠陥のあるＥＣＣブロックの直後のＥＣＣブロックに記録が開始されることを特徴とする。
【発明を実施するための最良の形態】
【００１７】
本発明の第１実施例による光ディスク及び光ディスク記録方法は、図２を参照すれば、記録状態の領域にオーバーライティングが行われる時、記録を開始しようとするＮ番目ＥＣＣブロック１２の前にある（Ｎ−１）番目ＥＣＣブロック１０の端部にある一部領域から記録を開始する。この領域は以前に既にデータが記録された部分であって、データが重畳記録されつつリングキングが発生する。望ましくは、記録が開始されるＥＣＣブロックの前にあるブロックの最後の８チャンネルビット１０−ａから記録を開始する。言い換えれば、ディスクに既に記録されており、その上の一部領域、例えば、Ｎ番目ブロック１２からＭ個のブロックにオーバーライティングしようとする場合、Ｎ番目ブロック１２の前の（Ｎ−１）番目ブロック１０の最後の８チャンネルビット１０−ａでリングキングを行う。
【００１８】
そして、記録が終了する（Ｎ＋Ｍ−１）番目ブロック１４の最後の８チャンネルビット１４−ａにはオーバーライティングされずに以前に記録された状態に残る。
【００１９】
次いで、本発明の第２実施例による光ディスク及び光ディスク記録方法は、図３Ａに示されたように欠陥のあるＥＣＣブロック２６を含む領域に記録が行われる場合、前記欠陥ＥＣＣブロック２６の直前のＥＣＣブロック２４の最後の８チャンネルビット２４−ａの前で記録を終了する。すなわち、（Ｎ−２）番目ブロック２２から（Ｍ＋２）個のブロックに記録しようとする時、Ｎ番目ブロック２６で欠陥が発生した場合、記録が開始される（Ｎ−２）番目ブロック２２の前の（Ｎ−３）番目ブロック２０の最後の８チャンネルビット２０−ａでリングキングが発生する。
【００２０】
次いで、欠陥が発生したＮ番目ブロック２６の前の（Ｎ−１）番目ブロック２４の最後の８チャンネルビット２４−ａの前で記録が終了し、欠陥ブロック２６の次の（Ｎ＋１）番目ブロック２８の最後の８チャンネルビット２８−ａから記録が開始される。
【００２１】
前記例では、欠陥ブロック２６の次の（Ｎ＋１）番目ブロック２８の最後の８チャンネルビット２８−ａから記録が開始される例を説明したが、図３Ｂに示されたように欠陥ブロック２６の次にある（Ｎ＋１）番目ブロック２８の始めから記録を開始することもある。これにより、３２ＫＢに当るデータ領域をさらに確保できる。
【００２２】
本発明の第３実施例による光ディスク及び光ディスク記録方法は、図４Ａに示されたように、（Ｎ−２）番目ブロック２２から（Ｍ＋２）個のブロックに記録しようとする時、例えば、Ｎ番目ブロック２６に欠陥が発生した場合、記録が開始される（Ｎ−２）番目ブロック２２の前の（Ｎ−３）番目ブロック２０の最後の８チャンネルビット２０−ａから記録を開始する。そして、欠陥が発生したＮ番目ブロック２６の直前の（Ｎ−１）番目ブロック２４の端部で記録を停止する。これは、欠陥ブロックの前ではリングキングが発生する必要がないため、リングキングのための余裕領域が備わらなくても良いためである。
【００２３】
次いで、欠陥ブロック２６の次の（Ｎ＋１）番目ブロック２８の最後の８チャンネルビット２８−ａから記録を再び開始して記録が終了する（Ｎ＋Ｍ−１）番目ブロック３２まで記録される。この時、記録が終了する（Ｎ＋Ｍ−１）番目ブロック３２の最後の８チャンネルビット３２−ａには記録されない。
【００２４】
一方、図４Ｂに示されたように、欠陥ブロック２６の次の（Ｎ＋１）番目ブロック２８の始めからすぐ記録を行うこともある。これにより、図４Ａに例示された方法に比べて３２ＫＢに当るデータ領域をさらに確保できる。次いで、（Ｎ＋１）番目ブロック２８から記録を再び開始して、（Ｎ＋Ｍ−１）番目ブロック３２で記録が終了する。この時、記録が終了する（Ｎ＋Ｍ−１）番目ブロック３２の最後の８チャンネルビット３２−ａには記録されない。
【００２５】
前記第２及び第３実施例は、特に、ＤＶＤ＋ＲＷでブランク領域に記録が行われる場合、記録状態の領域の直後に連続的に記録する場合及び記録状態の領域の一部領域にオーバーライトする場合に全て適用されうる。この時、欠陥は記録前または記録中に発生した場合を全て含む。また、本発明による光ディスク及び光ディスク記録方法は、４.７ＧＢ容量を有するディスクに適用可能である。
【００２６】
次いで、本発明の第４実施例による光ディスク記録方法及び光ディスクは、記録しようとする領域の前にあるブロックに欠陥が発生した時、リングキング体系を提示する。
【００２７】
図５Ａは記録前の状態を示す図であり、図５Ｂは本発明の記録方法によって記録された状態を示す図である。図５Ａを参照すれば、ユーザ領域の一部領域、例えば、（Ｎ−２）ブロック３６、（Ｎ−１）ブロック３７及びＮブロック３８に既に記録されており、（Ｎ−３）ブロック３５の最後の８チャンネルビット３５−ａでリングキングが行われることは、前記の通りである。そして、（Ｎ＋１）ブロック３９から（Ｎ＋Ｍ−１）ブロック４２までは未記録状態のブランクに残っている。ここで、例えば、（Ｎ＋１）ブロック３９から（Ｎ＋Ｍ−１）ブロック４２まで（Ｍ−１）個のＥＣＣブロックに記録しようとする時、記録が開始される（Ｎ＋１）番目ブロック３９の前のＮブロックに欠陥領域３８が発生した場合、この欠陥領域３８の最後の８チャンネルビット３８−ａは使用できない。したがって、リングキングのための別途の領域が規定されなければならない。
【００２８】
前記のような場合、リングキングを行うための領域が図５Ｂに示されている。前記欠陥領域３８の次の（Ｎ＋１）ブロック３９にはユーザデータが記録されず、リングキングのためのデータが記録される。例えば、前記（Ｎ＋１）ブロック３９の最後の８チャンネルビット３９−ａにリングキングのためのデータが記録される。一方、記録を開始する（Ｎ＋２）ブロック４０の直前の（Ｎ＋１）ブロック３９が未記録状態のブランクである場合、前述した規格によって（Ｎ＋２）ブロック４０にダミーデータを記録し、その次の（Ｎ＋３）ブロック４１からユーザデータを記録する。また、記録が終了する（Ｎ＋Ｍ−１）ブロック４２の最後の８チャンネルビット４２−ａには次のリングキングのために記録されない。
【００２９】
一方、図５Ａは、記録をしようとする領域が未記録状態のブランクである場合を示す図であり、図６Ａは、記録をしようとする領域が記録状態の領域である場合を示す図である。ここで、図６Ａは記録前の状態を示す図であり、図６Ｂは本発明の記録方法によって記録された状態を示す図である。
【００３０】
例えば、（Ｎ−２）ブロック４６、（Ｎ−１）ブロック４７及びＮブロック４８に既に記録されており、（Ｎ−３）ブロック４５の最後の８チャンネルビット４５−ａでリングキングが行われることは、前記の通りである。ここで、記録状態の（Ｎ＋１）ブロック４９から（Ｎ＋Ｍ−１）ブロック５１までオーバーライティングを行おうとする時、記録が開始される（Ｎ＋１）ブロック４９の前のＮブロックに欠陥領域４８が発生した場合、この欠陥領域４８の最後の８チャンネルビット４８−ａは、欠陥によってリングキングのために使用できない。
【００３１】
したがって、欠陥領域４８の次の（Ｎ＋１）ブロック４９にリングキングのためのデータが記録され、さらに望ましくは、最後の８チャンネルビット４９−ａにリングキングのためのデータが記録される。これにより、図６Ｂに示されたように、（Ｎ＋１）ブロックの最後の８チャンネルビット４９−ａから記録が開始され、記録が終了する（Ｎ＋Ｍ−１）ブロック５１の最後の８チャンネルビット５１−ａには次のリングキングのために記録されない。
【００３２】
前述したように、第４実施例による光ディスク記録方法及び光ディスクは、記録しようとする領域の前に欠陥領域が発生する時にリングキングを発生させる。ここで、記録しようとする領域が未記録状態のブランク領域であるか、または記録状態の領域である時に全て同一に適用される。
【産業上の利用可能性】
【００３３】
前述した本発明による光ディスク及び光ディスク記録方法は、ＤＶＤ＋ＲＷディスクにおいて、ディスクドライブの互換性のために欠陥領域が発生した場合に欠陥領域を処理する方法を提示しようとするものである。すなわち、既存に規定されていないオーバーライティング方法と、欠陥領域を含む所定領域に記録する方法及び記録しようとする領域の前に欠陥領域が発生した場合にリングキングを行う方法を新たに提案することによって光ディスクの記録／再生に統一を図ることができる。
【図面の簡単な説明】
【００３４】
【図１Ａ】従来のＤＶＤ＋ＲＷの一般的な記録方法を説明するための図である。
【図１Ｂ】従来のＤＶＤ＋ＲＷで連続的な記録時にリングキングが発生することを示す図である。
【図１Ｃ】従来のＤＶＤ＋ＲＷでブランク部分に記録する場合にリングキングが発生することを示す図である。
【図２】本発明の第１実施例による光ディスク記録方法によってオーバーライトする方法を示す図である。
【図３Ａ】本発明の第２実施例による光ディスク記録方法を示す図である。
【図３Ｂ】本発明の第２実施例による光ディスク記録方法を示す図である。
【図４Ａ】本発明の第３実施例による光ディスク記録方法を示す図である。
【図４Ｂ】本発明の第３実施例による光ディスク記録方法を示す図である。
【図５Ａ】本発明の第４実施例による光ディスク記録方法の一例を示す図である。
【図５Ｂ】本発明の第４実施例による光ディスク記録方法の一例を示す図である。
【図６Ａ】本発明の第４実施例による光ディスク記録方法の他の例を示す図である。
【図６Ｂ】本発明の第４実施例による光ディスク記録方法の他の例を示す図である。
【図１Ａ】
2005521982.tif 000003
【図１Ｂ】
2005521982.tif 000004
【図１Ｃ】
2005521982.tif 000005
【図２】
2005521982.tif 000006
【図３Ａ】
2005521982.tif 000007
【図３Ｂ】
2005521982.tif 000008
【図４Ａ】
2005521982.tif 000009
【図４Ｂ】
2005521982.tif 000010
【図５Ａ】
2005521982.tif 000011
【図５Ｂ】
2005521982.tif 000012
【図６Ａ】
2005521982.tif 000013
【図６Ｂ】
2005521982.tif 000014
【国際調査報告】
2005521982.tif 000015